Podtech/llm-jp-corpus-v4-ja_patent huggingface dataset:
(57)【要約】【課題】  従来のテーブルソーなどの切断機において、切断後のワークを取り出す時にキックバック現象が発生していた。これは、切断された一方のワークが鋸刃の横に残るため、ワークが鋸刃に接触しやすいためである。【解決手段】  フィードアームを使って送り出すことで、鋸刃で切断された両側の２つのワークを鋸刃から遠ざけることで、キックバック現象の発生を防止することができる。また、ワークの切断最終端までフィードアームにて送り出すので、最終端まで正確に切断ができる。【選択図】図４
2013139063.tif 000002
【特許請求の範囲】
【請求項１】
鋸刃を回避したフィードアームを使って、鋸刃で切断された両側の２つのワークを鋸刃から遠ざけることで、キックバック現象の発生を防止する方法。
【発明の詳細な説明】
【技術分野】
【０００１】
本発明は、テーブルソーなどの切断機において、ワークのキックバック現象防止に関するものである。
【背景技術】
【０００２】
従来のテーブルソーやスライドテーブルソーなどの切断機において切断完了後のワークが回転する鋸刃に接触し、作業者側へ跳ね返るいわゆるキックバック現象が発生していた。（図１，図２参照）
図１は従来のテーブルソーとスライドテーブルソーで切断後のワーク２−１と鋸刃３の横に残ったワーク２−２の位置を説明する図である。
【０００３】
図２はテーブルソーにおいて切断されたワーク２−２を鋸刃３から遠ざける為に、作業者１が取り出し棒１０などで取り出す時にキックバック現象が発生する状態を示した図である。
【０００４】
また、割刃８やキックバック防止爪９が備えてある従来のテーブルソーに於いても鋸刃３の横に残ったワーク２−２が
鋸刃３に接触し、完全にキックバックを防止することができないという欠点があった。（図２参照）
【０００５】
キックバック現象によりワーク２−２の損傷や、作業者１の安全性に問題があった。
【０００６】
切断最終端において送り出しが無い右側のワーク２−２の切断面11が、図３のように途中で割れた状態になり品質に問題があった。
【０００７】
図３は切断されたワークの最終端の悪い形状を示した説明図である。
【０００８】
この改善策として、フィードアーム１２を使って、ワーク２を前方へ送り出して切断し、切断完了後も切断されたワーク２−１とワーク２−２を前方へ送り出して、切断されたワーク２−１とワーク２−２を回転する鋸刃３から遠ざけ、再び鋸刃３に接触させないようにする。
【０００９】
図４はテーブルソーとスライドテーブルソーで、この方法によるワーク切断後のワーク送り出しを示す説明図である。
【００１０】
図５はこの方法による切断前と切断後のワークの位置を示す説明図である。
【００１１】
図６はフィードアームの、鋸刃からの回避方向を示した応用例の説明図であり、あらゆる方向に回避した形状のフィードアームにて構成できる。
【先行技術文献】
【特許文献】
【００１２】
【特許文献１】特開２００８−３０２４６８号公報
【非特許文献】
【００１３】
【非特許文献１】日立工機株式会社出版  「電動工具総合カタログ」    ２０１１年  １０月    １２８Ｐ
【発明の概要】
【発明が解決しようとする課題】
【００１４】
解決しようとする問題点は、テーブルソーなどの切断機においてワークのキックバック現象が発生し、それを完全に防止できない点である。
【課題を解決するための手段】
【００１５】
本発明は、鋸刃で切断された両側の２つのワークを送り出して、回転する鋸刃から遠ざけることを最も主要な特徴とする。
【発明の効果】
【００１６】
本発明のフィードアームは、鋸刃で切断された両側の２つのワークを送り出し、回転する鋸刃から遠ざけることで、安全に切断されたワークの取り出しが出来て、完全にキックバック現象の発生を防止することに利点がある。
【図面の簡単な説明】
【００１７】
【図１】図１は従来のテーブルソーとスライドテーブルソーでワークを切断した後のワークの位置を示した説明図である。
【図２】図２は切断したワークを取り出す時のキックバック現象を示した説明図である。
【図３】図３は切断されたワークの最終端の悪い形状を示した説明図である。
【図４】図４は本発明のフィードアームを利用したワークの切断後の状態を示した説明図である。（実施例１）
【図５】図５は本発明のフィードアームをスライドテーブルソーで利用した場合の、ワークの切断前と切断後の状態を示した説明図である。
【図６】図６は本発明のフィードアームの、鋸刃からの回避方向を示した応用例の説明図である。
【発明を実施するための形態】
【００１８】
切断されたワークを鋸刃から遠ざけるという目的を、鋸刃を回避した形状のフィードアームをワークに添えて一緒に送り出すことで、実現した。
【実施例１】
【００１９】
図４は、本発明の実施例の説明であって、テーブルソーに使用した場合と、スライドテーブルソーに使用した場合を示す説明図である。
【００２０】
テーブルソーに使用する場合はフィードアーム１２をワーク２−１に添えて一緒に送り出して切断する。（図４  左側）
【００２１】
スライドテーブルソーに使用する場合はフィードアーム１２をワーク２−１に添えるかスライドテーブル６にネジ等で固定して一緒に送り出して切断する。（図４  右側）
【００２２】
このようにワーク２−２を切断最終端まで送り出すので、切断面がきれいな直線になり品質向上の効果がある。
切断されたワーク２−２が鋸刃３から離れるために、作業者は安全にワークの取り出しが出来るようになるので、安心感と、作業効率が向上する。
【産業上の利用可能性】
【００２３】
本発明のフィードアームは回転する鋸刃を利用したワーク切断機に応用・適用できる。
切断後にワークが鋸刃に喰い込み、キックバック現象が発生しやすい材質のワークの切断に幅広く適用できる。
【符号の説明】
【００２４】
１      作業者
２      ワーク
２−１  切断された左側のワーク
２−２  切断された右側のワーク
３      鋸刃
４      テーブルソー本体
５      スライドレール
６      スライドテーブル
７      ワークガイド
８      割刃
９      キックバック防止爪
１０    取り出し棒
１１    ワークの切断面
１２    フィードアーム
【図３】
2013139063.tif 000003
【図１】
2013139063.tif 000004
【図２】
2013139063.tif 000005
【図４】
2013139063.tif 000006
【図５】
2013139063.tif 000007
【図６】
2013139063.tif 000008
(57)【要約】【課題】  本発明は、直線状刃面部によって切り取られた雑草の一部が回転軸部に巻き付こうとする直前に、確実かつ迅速に切断されるようにする二枚刃を提供する。【解決手段】  刈払機用二枚刃の盤体１の中心部の回転軸挿入孔２をはさんだ左右両周縁部の表裏面に直線状刃面部３，３，３’，３’をそれぞれ反対面に形成し、この直線状刃面部の左右対角線上の表裏両面部にそれぞれ設けた複数列の切欠部４，４に切刃部５，５を形成して成るものである。また、直線状刃面部上の切刃部は、切欠部となる凹面部をプレス成形した後、グラインディングして刃面を形成する。【選択図】    図１
2013009612.tif 000002
【特許請求の範囲】
【請求項１】
刈払機用二枚刃の盤体の中心部の回転軸挿入孔をはさんだ左右両周縁部の表裏面に直線状刃面部をそれぞれ反対面位置に形成し、この直線状刃面部の左右対角線上の表裏両面部にそれぞれ設けた複数列の切欠部に切刃部を形成して成ることを特徴とする刈払機用二枚刃。
【請求項２】
直線状刃面部上の切刃部は切欠部となる凹面部をプレス成形した後、グラインディングして切刃面を形成して成る請求項１に係る刈払機用二枚刃。
【発明の詳細な説明】
【技術分野】
【０００１】
本発明は、畑地や土手の雑草を刈払うために使用する刈払機用二枚刃に関するものである。
【背景技術】
【０００２】
従来、本発明の発明者は下記の特許文献に見られる刈払機用二枚刃の構造を創作し実施していたが、刃盤体の直線状刃面部によって刈り取られた雑草が回転軸部に巻き絡みつき、完全に切り取られて振り払われる状態にならなかったのであった。
【先行技術文献】
【特許文献】
【０００３】
【特許文献１】特許第４０３５５６３号公報
【発明の概要】
【発明が解決しようとする課題】
【０００４】
そこで、本発明に係る二枚刃は、直線状刃面部によって切り取られた雑草の一部が回転軸部に巻き付こうとする直前に直線状刃面部の切欠部内の切刃によって確実かつ迅速に切断して払い飛ばすことができるようにする刃盤体を提供することを目的とするものである。
【課題を解決するための手段】
【０００５】
本発明は、刈払機用二枚刃の盤体の中心部の回転軸挿入孔をはさんだ左右両周縁部の表裏面に直線状刃面部をそれぞれ反対面位置に形成し、この直線状刃面部の左右対角線上の表裏両面部にそれぞれ設けた複数列の切欠部に切刃部を形成して成るものである。
【０００６】
また、直線状刃面部上の切刃部は、切欠部となる凹面部をプレス成形した後、グラインディングして切刃面を形成するものである。
【発明の効果】
【０００７】
本発明は、前記した特許第４０３５５６３号に係る発明を発展したものであり、回転する刃盤体の直線状刃面部の切欠部に設けた切刃部によって切り取られた雑草は、その直後に他の直線状刃面部の切欠部に設けた切刃部によって切り取れるようになるから、従来のように刈払い作業を中断して絡みついた雑草を手で取り去るような手数を全くかけることはなくなり、作業能率を向上するとともに作業疲労の低減に貢献することができる。
【０００８】
また、直線状刃面部における切刃部は、切欠部の凹面部をプレス成形した後にグラインディングして切刃面を形成するものであるから、製造が比較的簡単にできるようになり、コストが安価となる。
【図面の簡単な説明】
【０００９】
【図１】一実施例の平面図
【図２】図１のＸ方向から見た要部の正面図
【図３】図１のＡ−Ａ線断面図
【図４】図１のＢ−Ｂ線断面図
【図５】回転軸部への取付け状態図と左回転動を示す。
【発明を実施するための形態】
【００１０】
本発明の刈払機用二枚刃にあっては、回転軸部を中心に刃盤体の左右対角線上に設けた直線状刃面部の表裏両面に設けた切欠部に切刃面を形成した切刃部を設けることによって、雑草の刈り切り作業が、刃盤体一回転で二度にわたって行われるようになる。
【００１１】
また、直線状刃面部の表面部の磨耗状態を見て、刃盤体の裏面部を使用すべく表裏逆にして取換えることにする。
【実施例】
【００１２】
１は二枚刃盤体で、この刃盤体の中心部には回転軸孔２を設ける。
【００１３】
３，３，３’，３’は前記刃盤体１の左右周縁部にそれぞれ形成した直線状刃面部で、この直線状刃面部は左右両側部の表裏両面では異なる刃面形状に成る。
【００１４】
即ち、図１に示した刃盤体の平面図において、３，３は表面部の刃面部を示し、３’，３’は裏面部の刃面部を示す。これは、刃盤体１を直線状刃面部の磨耗状態を見て表裏部を逆にして使用するようにするものである。
【００１５】
４，４，４，４は前記直線状刃面部３，３，３’，３’の同一箇所において複数列に設けた切欠部である。
【００１６】
５，５は前記刃盤体１の回転軸孔２の対角線上にある前記切欠部４，４，４，４にグラインディングを施して刃面を形成した切刃部である。
【００１７】
６は前記刃盤体１の回転軸孔２に取付く回転軸部である。
【００１８】
７は歯車機構部、８は支持桿である。
【符号の説明】
【００１９】
１                    二枚刃盤体
２                    回転軸孔
３，３，３’，３’    直線状刃面部
４，４，４，４        切欠部
５，５，５，５        切刃部
６                    回転軸部
７                    歯車機構部
８                    支持桿
【図１】
2013009612.tif 000003
【図２】
2013009612.tif 000004
【図３】
2013009612.tif 000005
【図４】
2013009612.tif 000006
【図５】
2013009612.tif 000007
(57)【要約】【課題】ドライヤーを手に持たず乾かす従来の壁掛けドライヤーは装着が難しいものが多く、装置は収納できない。また、ドライヤーのスタンドに装着した場合においても、温風を覆わないため、熱がたまらずに、部分的な乾燥方法であった。【解決手段】特許文献  特開２００９−１３５４９４記載のドライヤー温風カバーの上部に温風挿入口を作り、ドライヤーを装着することにより、温風を挿入口から挿入する。また、温風の噴出口には温風ガードをつけることにより、髪に直接温風があたるのを防ぎつつ、温風がフード全体に行き渡る。【選択図】図１
2013009890.tif 000002
【特許請求の範囲】
【請求項１】
ドライヤーを装着して使用するにおいて、ドライヤーの温風を覆うためのフードに温風を挿入して、温風を効率よく髪全体に行き渡らせる方法。
【請求項２】
ドライヤーの噴出口に、温風が髪に直接あたらないようにするためのガードを取り付け、フードの内部全体に行き渡らせる方法。
【発明の詳細な説明】
【技術分野】
【０００１】
本発明は、特開２００９−１３５４９４  記載のドライヤー温風カバーの上部に作った温風挿入口に、ドライヤーを装着することで、温風を挿入し、ドライヤーを手に持たずに温風を逃がさず効率よく髪全体を速く乾かす方法に関する。
【背景技術】
【０００２】
特開２００９−１３５４９４  記載のドライヤー温風カバーは、ドライヤーを手に持って乾かす方法であった。 
【先行技術文献】
【特許文献】
【０００３】
【特許文献１】特開２００９−１３５４９４
【発明の概要】
【発明が解決しようとする課題】
【０００４】
ドライヤーを手に持たず短時間で乾かすことにおいて、従来の壁掛けドライヤーは壁への装着が難しいものが多く、装置を収納できない。  また、ドライヤーのスタンドに装着する場合においても、温風を覆わないため熱がたまらず、部分的な乾燥方法であった。
【課題を解決するための手段】
【０００５】
特許文献  特開２００９−１３５４９４記載のドライヤー温風カバーの上部に温風挿入口を作り、ドライヤーを装着することにより温風を挿入する。 
【０００６】
ドライヤーの温風噴出口に温風ガードをつけることにより、直接髪に温風があたるのを防ぎつつ、温風が全体に行渡る。 
【発明の効果】
【０００７】
ドライヤーを装着して温風を挿入することで、髪を乾かしながら両手が使える。その結果、時間と労力を省ける。また、温風が効率よく髪全体に行き渡るため、よりいっそう早く乾き、節電にもなる。
【図面の簡単な説明】
【０００８】
【図１】図１はドライヤー温風挿入方式の概略図
【図２】図２は折りたたんでフードを収納した形態
【図３】図３は横から見た形態
【発明を実施するための形態】
【０００９】
特許文献  特開２００９−１３５４９４記載のドライヤー温風カバーの上部に温風挿入口を作り、ドライヤーを装着し、温風を挿入する。また、ドライヤーの温風噴出口には温風ガードをつける。
【００１０】
ドライヤーの電源を入れると、温風カバーの上部から温風が流れ込み、温風カバーの内部を満たす。 
【実施例】
【００１１】
ドライヤー温風カバーを開き、ドライヤーの電源を入れ、頭にかぶり乾かす。急ぐ場合は頭を振り動かし、髪をゆすって、温風を含ませる。その間、歯ブラシやマッサージなど両手が有効にに使える。使用後は下半分を持ち上げて折りたたみ、フードを収納。
【００１２】
普通のドライヤーを手に持って併用して乾かすと、よりいっそう早く乾く。また、夏場は冷風と温風を同時に使い、快適に乾かすことも出来る。 
【符号の説明】
【００１３】
１  ドライヤー温風挿入口
２  温風ガード
３  ドライヤー装着位置
【図１】
2013009890.tif 000003
【図２】
2013009890.tif 000004
【図３】
2013009890.tif 000005
(57)【要約】      （修正有）【課題】原子力に代わる安全な発電を可能とします。火力に代わるエコロジーな発電を可能とします。【解決手段】他の蒸気による間接的な発電機機動と違い、モーターでの直接的な機動により可能とする。間接的な機動源による原子力の危険、火力のCO2排出、化石燃料の消費を無くすことが可能となる。具体的には、１．発電電力の一部を使用してモーターを回し発電する２．モーターで使用する電力はモーター性能と変速機により極少量に３．モーターの初動時のみ外部電源を必要とする４．これにより燃料を必要とせず恒久的な発電が可能となる。【選択図】図１
2013009465.tif 000002
【特許請求の範囲】
【請求項１】
発電方式
【発明の詳細な説明】
【技術分野】
【０００１】
電力供給の発電分野に寄与します。
【背景技術】
【０００２】
電気自動車などでのモーターの技術発展がこれを可能とします。
【発明の概要】
【発明が解決しようとする課題】
【０００３】
原子力に代わる安全な発電を可能とします。
火力に代わるエコロジーな発電を可能とします。
【課題を解決するための手段】
【０００４】
他の蒸気による間接的な発電機機動と違い、モーターでの直接的な機動により可能とする。
【発明の効果】
【０００５】
間接的な機動源による原子力の危険、火力のCO2排出、化石燃料の消費を無くすことが可能となる。
【図面の簡単な説明】
【０００６】
【図１】１．発電電力の一部を使用してモーターを回し発電する  ２．モーターで使用する電力はモーター性能と変速機により極少量に  ３．モーターの初動時のみ外部電源を必要とする  ４．これにより燃料を必要とせず恒久的な発電が可能となる
【発明を実施するための形態】
【０００７】
電力会社、発電機メーカーに提案し製造することで世の中に寄与します。
【産業上の利用可能性】
【０００８】
電力会社はもちろん、自家発電を必要とする病院等の公共事業や企業などのあらゆる分野での利用が可能です。
【図１】
2013009465.tif 000003
(57)【要約】【課題】既存のＶＰＮゲート・ウェイ・ルーター（ホスト）の構造は企業内にメールサーバーを持つネットワークに対し、インターネット経由で該ネットワークにＶＰＮ接続する事で所定のサーバーに接続する目的である。自社のサーバーを持たない中小企業、自営業はレンタルサーバーを使うがＶＰＮ接続を適用するには技術的経済的に無理があった。【解決手段】レンタルサーバーの１ユニット毎にＶＰＮゲートウェイルーター機能を付加する事で、すべてのレンタルサーバーユーザーに対して、ＶＰＮ接続サービスを安価に提供できる。【選択図】図１
2013009219.tif 000002
【特許請求の範囲】
【請求項１】
電子メールやファイルシステムを提供する為のレンタル用サーバーシステムに於いて、ＶＰＮによる仮想専用回線を構成する為のゲートウエイルーターをユーザー対応毎のサーバーユニットと一体構成にしたシステム。
【発明の詳細な説明】
【技術分野】
【０００１】
ＶＰＮ（Virtual Private Network、仮想専用回線）は公衆回線をあたかも専用回線であるかのように利用できるサービスであり、企業内ネットワークの拠点間接続や社員の外出先からのメールアクセスなどに使われている。
【背景技術】
【０００２】
自社内に常時通電のサーバーシステムを持たない自営業、中小企業ではレンタルサーバーやレンタルメールサービスを利用している。これらのメールシステムはインターネット接続さえあればどこからでも利用できるが、認証方法がIDとパスワードの簡略型で暗号化などの利用もまれである。安価であるが、簡易さ故にセキュリティは脆弱である。
【０００３】
中小企業ゆえにデータのセキュリティが確保できないのは健全な社会の発展を阻害する。VPNで保護された安価なメールシステムの提供が望まれる。
【先行技術文献】
【特許文献】
【０００４】
【特許文献１】特許公開２００３−１８８９０２
【特許文献２】特許公開２００７−３４６５７
【発明の概要】
【発明が解決しようとする課題】
【０００５】
図２に基づく説明
【０００６】
社内ネットワーク（イントラネット）［２０１］にメールサーバー［２００］など保有する企業に於いて、インターネット経由［２０７］でＶＰＮ保護されたネットワーク接続を実現する為にはインターネット［２０７］とイントラネット［２０１］の接続ポイントにＦｉｒｅｗａｌｌ［２０５］にＶＰＮ用のGATEWAY［２０６］を併設し、インターネット経由のＶＰＮアクセスを認証し、接続を確立する必要がある。こうする事でパーソナルコンピューター［２０８］は社内のパーソナルコンピューター［２０２］−［２０４］と等価なネットワーク環境を得る事が出来る。
【０００７】
しかし、メールサーバーの運営は小規模事業所ではオーバーヘッドが大きく、経済的な負担となる。その為、サービスプロバイダーの用意するレンタルサーバーを使い、メインテナンスも含めて業務委託をするほうが会社経営の観点から行われている。
【０００８】
これらのレンタルサーバーは大量のサーバーがインターネットに露出した構造を持っており、現状のセキュリティは脆弱である。高度のセキュリティーを提供するサービスプロバイダーも存在するが委託料は高額となる。
【課題を解決するための手段】
【０００９】
図１は実施例の１である。
【００１０】
本発明のVPNホストルーターが内蔵されたサーバーを従来のサーバーと同様にインターネット上に配置し、クラスター［１００］とする事で、インターネットに接続されたＰＣ［１０１］はインターネット経由で契約したサーバーとＶＰＮ接続をする。サーバーはVPN接続が認証された接続に対して、サービスを行う。
【００１１】
一方、ユーザーのＳＯＨＯネットワーク［１０２］につないだパーソナルコンピュータ［１０３］は接続したパーソナルコンピュータからインターネット経由で契約サーバーにＶＰＮ接続できる。しかし、その様なＶＰＮ接続では、ＳＯＨＯネットワーク上の他のデバイス、プリンターや他の人のパーソナルコンピューターが見えなくなってしまう。この問題の解決にはＳＯＨＯネットワーク全体をＶＰＮ接続ルーター（ＶＰＮクライアント）［１０４］によって、レンタルサーバーにＶＰＮ接続することで、レンタルサーバーはＳＯＨＯネットワーク内のデバイスの様に観測される。
【図面の簡単な説明】
【００１２】
【図１】図1はVPNホストアダプターが内蔵されたサーバーを使用したレンタルサーバークラスター例
【図２】大企業における、VPNネットワークの構築例
【図１】
2013009219.tif 000003
【図２】
2013009219.tif 000004
(57)【要約】      （修正有）【課題】上着及びカバン等の保持は手を使い保持するため両手が塞がり不便である。手を使わずに上着等を携帯することができるハンガーを提供する。【解決手段】物掛けフック５を設けた長円形型ハンガーアーム１を、内側差し込みフック２と外側差し込みフック３との接続部に設けた軸穴４に挿通し、ハンガーアーム１を軸穴４を軸として上下に回動自由とし、使用時は内側差し込みフック２をズボンのベルト部に上から差し込み装着し、手提げ等をフック５に掛ける。【選択図】図１
2013009929.tif 000002
【特許請求の範囲】
【請求項１】
物掛けフックを設けた長円形型ハンガーアームの一部と、差し込みフックに設けた軸穴と連結し一体構造からなるハンガーアームが上下作動することを特徴とする差し込み携帯ハンガー。
【発明の詳細な説明】
【技術分野】
【０００１】本発明は、ベルト差し込みフックにハンガーアームを設けたハンガーに関するものである。
【背景技術】
【０００２】従来、ズボンのベルト部分を利用する携帯ハンガーはなかった。
【発明の開示】
【発明が解決しようとする課題】
【０００３】そのために、次のような問題点があった。
（イ）上着及びカバン等の保持は手を使い保持するため両手が塞がり不便であった。
本発明は、これらの問題点を解決するためになされたものである。
【課題を解決するための手段】
【０００４】物掛けフックを設けた長円形ハンガーアームの一部と、さしこみフックに設けた軸穴と連結することにより一体構造となりハンガーアームが上下作動できる。
以上を特徴とする差し込み携帯ハンガー。
【発明の効果】
【０００５】内側差し込みフック（２）をズボンのベルト部の内側に上から差し込むだけて携帯ハンガーが装着され、物が掛けられる。極めて便利である。
【発明を実施するための最良の形態】
【０００６】以下、本発明の実施の形態について説明する。
（イ）物掛けフックを設けた長円形ハンガーアーム設ける。
（ロ）長円形ハンガーアームを差し込みフックに設けた軸穴と連結し一体構造とする。
（ハ）長円形ハンガーアームに滑り防止材を設ける。
本発明は、以上のような構成で、これを使用するときは、内側差込みフック（２）をズボンのベルト部に上から差し込み装着する。
手提げ等はフック（５）に掛けることができる。両手が自由になる。
ハンガーアームを不使用のときは軸穴によりアームが下がりベルトより外側に飛び出しも少なく邪魔にならない。
【実施例１】
【０００７】図（３）に示すように差し込み携帯ハンガーをズボンのベルト部に差し込むだけでハンガーに利用できる。従来のように服、手提げを手により保持することもなくなり両手が自由になり大変便利である。
【図面の簡単な説明】
【０００８】
【図１】本発明の斜視図
【図２】本発明の正面図
【図３】本発明をズボンのベルトに装着しハンガーに物を掛けた使用例を示す側面図
【符号の説明】
【０００９】１  ハンガーアーム
２  内側差し込みフック
３  外側差し込みフック
４  軸穴
５  物掛けフック
６  スベリ止め
【図１】
2013009929.tif 000003
【図２】
2013009929.tif 000004
【図３】
2013009929.tif 000005
(57)【要約】【課題】本発明は、洋式トイレの便器外への放尿や、尿の跳ね返りによるトイレやトイレ床面の汚れを軽減させるため、着座姿勢での放尿を促すことができる、誰にでも簡単に着脱可能な、絵や文字によるメッセージおよび着座姿勢を促すキャラクターなどを備えた、ユニーク性のある、着座姿勢での放尿を促すトイレ用品を提供できるようにすることを目的とするものである。【解決手段】本発明は、男性の立ち姿勢の放尿によって飛散する小便による汚れを防ぐために、着座姿勢での放尿を促す絵や文字によるメッセージにより着座姿勢での放尿を促すとともに、便座の持ちあげを妨げることで着座姿勢の放尿をすすめるトイレ用品。【選択図】図５
2013009927.tif 000002
【特許請求の範囲】
【請求項１】
支持部の端部に固定具を設け、他端部に回動自在となる本体表示部を備えたキャラクター部を設けているからことを特徴とする洋式トイレの便座持ち上げ妨げ具。
【発明の詳細な説明】
【技術分野】
【０００１】  本発明は、洋式用トイレでの立ち姿勢の放尿による小便の飛散を防止するため、立ち姿勢による放尿を妨げ、着座姿勢での放尿を促すための絵や文字が記載されたメッセージとキャラクターなどを模様した飾りを備えた、着座姿勢による放尿を促すための便座持ち上げを妨げるトイレ用品に関するものである。
【発明の概要】
【発明が解決しようとする課題】
【０００２】洋式トイレは、便器と、その上の便座、さらにその上の便座蓋とから構成されている。通常、男性は洋式トイレの便座蓋と便座を垂直に持ち上げ、立った姿勢で放尿している。その際に飛散する小便が汚す範囲は便器、床はおろか壁面にまでおよび、トイレを汚す大部分の原因になっている。それゆえ、近年では着座姿勢で放尿する男性が増えてきてはいるが、長年の習慣もあり、他人に着座姿勢で放尿することを促すことは難しく、着座姿勢での放尿を強制することは難しい。本発明は、誰にでも簡単に着脱可能で、絵や文字によるメッセージおよび着座姿勢を促すキャラクターなどを備えた、ユニーク性のある、着座姿勢での放尿を促すトイレ用品を提供できるようにすることを目的とするものである。
【課題を解決するための手段】
【０００３】  本発明は、男性の立ち姿勢の放尿によって飛散する小便による汚れを防ぐために、前記トイレ用品を洋式トイレ便器の任意の位置に固定具（吸盤など）で装着し、着座姿勢での放尿を促す絵や文字によるメッセージが記載された本体表示部を便座の上にのせ、使用者に着座姿勢での放尿を促すとともに、前記表示部が便座の持ちあげを妨げることで着座姿勢の放尿をすすめるトイレ用品。
【発明の効果】
【０００４】  本発明は、トイレ使用者に着座姿勢での放尿を意識させトイレの清潔を保つ。【０００５】  本発明は、現在使用されている洋式トイレの全てに使用可能であり、だれでも簡単に装着できる。
【図面の簡単な説明】
【０００６】
【図１】本考案の本体側面図
【図２】本考案の表示部正面図
【図３】本体表示部の利用の際の可動を表す側面図
【図４】本考案の本体正面図
【図５】洋式トイレの便座蓋が開いた状態の本考案を表す斜視図
【図６】洋式トイレの便座蓋が閉じた状態の本考案を表す斜視図
【発明を実施するための形態】
【０００７】以下、本発明を添付図面に示す実施形態に基いて説明する。
【０００８】  本発明の本体１は、図１に示すように、固定具３を装着するための便器外側の形状に沿った湾曲形状またはクランク形状を有することを特徴とする本体支持部１０を備えた、着座姿勢による放尿を促す、人や植物または動物などを模倣したキャラクター部１１からなり、本体保持部４に着脱自在に装着可能な放尿を促す文字や絵等のメッセージを記入できる本体表示部２が接続でき、便器９に装着するための固定具９（たとえば、吸盤）とで構成されている。
【０００９】  また、前記キャラクター部１１は弾力性のあるシリコーンまたは合成樹脂からなり、本体保持部４は着座姿勢による放尿を促す文字や絵等のメッセージを記入できる図２の本体表示部２の支持部５を接続するための円形形状の凹部を形成し、支持部５を本体保持部４の弾力性を利用して上から押し込んで接続できる形状を成している。
【００１０】  また、前記本体支持部１０は、弾力性のあるシリコーンまたは合成樹脂またはステンレスなどからなりキャラクター部１１に固着または一体化して設けた形状をなしている。
【００１１】  また、本体表示部２は厚さ２ｍｍ〜５ｍｍ程度の半円形または四角形の板体からなり、円筒状の支持部５を備え、本体保持部４に支持部５を接続することで本考案の本体を形成し、洋式トイレで利用する場合に便座や洋式トイレ本体６の破損を防ぐため、便座８を持ち上げると本体保持部４に接続されている２．本体表示部が、図３で示すように、接続部を起点に先端部が上がり、便座の持ちあげを妨げるが、便座８の持ちあげを防止しない形状を成している。
【００１２】  図６で示すように、固定具３を固着する前記本体支持体１０に固定具３を備え、本体表示部２を洋式トイレの便座上８に、着座姿勢による放尿を促す人や植物または動物などを模倣したキャラクター部１１が便座外側８へ配置されるように固定具３を便器９に装着することで、洋式トイレの便座蓋７の開閉を妨げない形成をしている。
【符号の説明】
【００１３】１．本体
２．本体表示部
３．固定具
４．本体保持部
５．支持部
６．洋式トイレ本体
７．便座蓋
８．便座
９．便器
１０．本体支持部
１１．キャラクター部
【図１】
2013009927.tif 000003
【図２】
2013009927.tif 000004
【図３】
2013009927.tif 000005
【図４】
2013009927.tif 000006
【図５】
2013009927.tif 000007
【図６】
2013009927.tif 000008
(57)【要約】【課題】  本発明は長靴または、漁業従事者や農業従事者が使用する水産長靴や水中長靴と呼ばれる胴付き長靴、魚釣りに使用されるウェーダーと呼ばれる胴付き長靴を逆さまに吊るして簡便に干すことができる用具を提供する。【解決手段】  長靴または胴付き長靴を逆さまにして、それぞれの足の部分を二つのベルト紐の輪（１）に内側から通すことにより、ベルト紐の輪が足首部分を中心に巻き付き、長靴または胴付き長靴の自重によって輪が狭まることで長靴または胴付き長靴を保持する。二つの輪の中ほどにあるベルト紐（３）で物干し竿または梁などに吊るして使用し、長靴または胴付き長靴を乾燥させる。【選択図】図１
2013009923.tif 000002
【特許請求の範囲】
【請求項１】
二つの輪を有したベルト紐の、それぞれの輪に逆さまにした長靴または胴付き長靴の足部分を通し、二つの輪の中ほどを吊り下げて使用する長靴干しまたは胴付き長靴干し。
【請求項２】
一つの用具で両足を逆さまに吊るして干すことができる長靴干しまたは胴付き長靴干し。
【請求項３】
吊り下げ用ベルト紐に伸縮調整用の留め具を備え、吊り下げる高さの調整と、吊り下げ箇所への取り付けと取りはずしを容易にしている。
【発明の詳細な説明】
【技術分野】
【０００１】  本発明は、長靴または胴付き長靴の乾燥に関するものである。
【背景技術】
【０００２】  市販されている従来の長靴干しは胴付き長靴の重量に耐えられないものが多く、また、長靴を被せて装着する長靴干しでは被せる部分が短く、胴付き長靴では装着できない。【０００３】  すでに公開されている胴付き長靴を逆さまに吊るす長靴干しがいくつかあるが、胴付き長靴の片足につき１個の用具を必要とする。そのため用具が２個揃わないと胴付き長靴１足を乾燥できないうえ、吊るしたままの移動でも用具２個を同時に保持する必要があった。
【発明の概要】
【発明が解決しようとする課題】
【０００４】  以上に述べた従来の長靴干しでは胴付き長靴を安心して乾燥させるには強度が不足したり、複数の用具を用いないと使用できないものであった。【０００５】  本発明は、長靴または胴付き長靴一足を一つの用具だけで逆さまに吊るして乾燥させることで、簡便で安価な製品化を実現していくことを目的としている。
【課題を解決するための手段】
【０００６】  本発明は二つの輪を有したベルト紐と、吊り下げ用のベルト紐からなる。長靴または胴付き長靴を逆さまにして、左右の足の部分を二つのベルト紐の輪（１）にそれぞれ内側から通すことにより、ベルト紐の輪が足首部分を中心に巻き付き、長靴または胴付き長靴の自重によって輪が狭まることで長靴または胴付き長靴を安定して保持する。【０００７】二つの輪の中ほどにあるベルト紐（２）で物干し竿または梁などに吊るして使用し、長靴または胴付き長靴を簡便に乾燥させる。
【発明の効果】
【０００８】  本発明を使用することにより、長靴または胴付き長靴を逆さまに吊るして干すことで水切れが良く、胴付き長靴内部の乾燥時間が短くなる。【０００９】  長靴または胴付き長靴の両足を一つの用具で吊るすことができることから、片足ずつ吊るす用具のように片方の用具を紛失して使用できなくなることがない。【００１０】  長靴または胴付き長靴の両足を一つの用具で吊るすことができることから、胴付き長靴を吊るしたまま簡便に移動することができる。【００１１】  ベルト紐を使用することから、樹脂製や金属製のものに比べ長靴または胴付き長靴を変形させにくい。【００１２】  吊り下げ用のベルト紐には伸縮調整用の留め具を備え、長靴または胴付き長靴を干す高さを調整でき、吊り下げ箇所の移動も簡便になる。【００１３】  本発明は吊り下げ金具や専用部品を必要とせず、ベルト紐と、長さを調整する伸縮調整用の留め具だけで製造できることから、安価で製造し普及させることができる。
【図面の簡単な説明】
【００１４】
【図１】長靴干し全体図
【図２】使用中の図
【図３】使用中の全体図
【図４】長靴干しを平置きした全体図
【符号の説明】
【００１５】１    胴付き長靴の足部分を保持するベルト紐
２    吊り下げ用のベルト紐
３    吊り下げ用ベルト紐の伸縮調整留め具
４    胴付き長靴
５    物干し竿または梁
【図１】
2013009923.tif 000003
【図２】
2013009923.tif 000004
【図３】
2013009923.tif 000005
【図４】
2013009923.tif 000006
(57)【要約】      （修正有）【課題】電力不足の中、節電の必要性が問われる。節電の意識を高める目的で考え又、節約を多いに期待できる節電用椅子を作る。【解決手段】通常、使用しない機械は、電気は通電状態であり、とても電力の無駄が多い。そこでチェアーに人が座るとチェアーの軸２がフリー丸板４と連動して下がり、リミットスイッチ５の接点が入る構造とし、チェアーから離れるとガスショック７の戻りでスイッチの接点が離れる。よって使用する時のみ、電源が入力できる。【選択図】図１
2013009935.tif 000002
【特許請求の範囲】
【請求項１】
人の重みで本体チェアー軸が下に、フリー丸板と連動しリミットスイッチを押して電源が入り、立つとチェアー軸が上にフリー丸板と連動しリミットスイッチが切れる物である。
【請求項２】
手動で切る電気製品を使用する時にこのスイッチチェアーを使うと良い。
【請求項３】
人の重みで本体・座軸が、フリ丸板と連動しリミットスイッチを押して電願が、入り立つとフリー丸板が連動して上り、リミットスイッチが切れて固定丸板（上）で止ま仕組で有る。
【請求項４】
人が、座ると、本体の軸２がフリー丸板と連動してリミットスイッチ５を押して電源が入り、立つと電源が切れて、ステンレスで出来ており腐食や強度の面でも強く長く使える物である。
【発明の詳細な説明】
【技術分野】
【０００１】本発明は、チェアー本体にリミットスイッチ、固定丸板（上）、固定丸板（下）、をフリー丸板が、本体軸と連動してリミットスイッチを押して電源を入りと切りが、出来るチェアーである。
【背景技術】
【０００２】従来のチェアーは、ここち良さとおくと架けるが目的であったがチェアー本体にリミットスイッチ、固定丸板（上）固定丸板（下）をフリー丸板を上・下させてガスショックの反動で、リミットスイッチを入り切りするチェアーは無った。
【先行技術文献】
【特許文献】
【０００３】
【特許文献１】
【特許文献２】
【特許文献】
【０００４】
【発明の概要】
【発明が解決しようとする課題】
【０００５】本発明は、従来の技術では、おく、座る、ここち良い架ける、入れるの使用であったが、もう１つ上の段階でリミットスイッチを付けて電気製品の電源スイッチとして使い電気の切り忘れがなく節電が出来る。
【課題を解決するための手段】
【０００６】上記課題を解決するために本発明は、本体の座１に座ると本体の軸２が、フリー丸板４と連動し、下に動き固定丸板（下）で止まり、リミットスイッチ５の接点が入り、立つとガスショックのもどりでリミットスイッチ５の接点が離れて、固定丸板（上）で止まり電源が切れて、電気製品の電源が切れて、チェアー本体が電源スイッチになって良い。
【図面の簡単な説明】
【０００７】
【図１】本発明の実施例に係る断面図である。
【図２】本発明の実施例に係る取り外し図である。
【符号の説明】
【０００８】１、座
２、軸
３、固定丸板（上）
４、フリー丸板
５、リミットスイッチ
６、固定丸板（下）
７、ガスショック
【図１】
2013009935.tif 000003
【図２】
2013009935.tif 000004
(57)【要約】【課題】  布団を水平方向に広げて干す器具において、布団を簡単に干すことが可能で、なお且つ掛けた布団がしっかりと安定する布団干し具を提供する。【解決手段】  布団を掛けるための片持ちアームを傾斜させ、その傾斜を滑り落ちようとする力をアーム先端に設けた高摩擦材にて抑止する構造の布団干し具。【選択図】図３
2013009933.tif 000002
【特許請求の範囲】
【請求項１】
ほぼ水平方向に間をあけて並ぶ２本の片持ちのアームに布団を掛け渡して干す構造の布団干し具において、前記片持ちアームそれぞれは、お互いの間隔が付け根に向かうに従い狭まる角度で設置され、また、布団を掛ける部分の大部分または全部がアーム付け根に向け下方に傾斜しており、前記片持ちアームそれぞれの先端には布団との間に強い摩擦力を発生させる素材から成る部材を有し、前記アームそれぞれの表面には、布団との間に発生する摩擦力を低く抑えられる素材を用いたことを特徴とする布団干し具。
【発明の詳細な説明】
【技術分野】
【０００１】  本発明は、布団を干すための器具に関するものである。
【背景技術】
【０００２】
【特許文献１】  特開２０１０−２５９７４８
【発明の開示】
【発明が解決しようとする課題】
【０００３】  文献１の器具のように、２本のアームを利用しベッド上の空間に掛布団を水平方向に広げて干す器具の場合、なるべく大きく布団を広げるには、２本のアームの間隔を広げればよいのだが、その間隔が広いほどアームに掛かる布団の重量バランスが悪くなり、布団が２本のアームの間に落ちようとする力は強くなる。そこでアームとアームの間隔がその付け根に向かうに従い狭まるようにすることである程度防ぐことは可能となる。【０００４】  しかし、例えば滑りやすい毛布などの場合、やはりアームとアームの間に滑り落ちてしまう可能性が高い。【０００５】  それを防ぐためには、アーム表面の広範囲に布団に対し摩擦係数の高い素材を用いればよいのだが、そうすると今度は布団を掛けたり下したりする際に布団がアームに引っかかり使用感の悪いものとなってしまう。
【課題を解決するための手段】
【０００６】  本発明は、上記課題を解決するためになされたものであり、ほぼ水平方向に間をあけて並ぶ２本の片持ちのアームに布団を掛け渡して干す構造の布団干し具において、前記片持ちアームそれぞれは、お互いの間隔が付け根に向かうに従い狭まる角度で設置され、また、布団を掛ける部分の大部分または全部がアーム付け根に向け下方に傾斜しており、前記片持ちアームそれぞれの先端には布団との間に強い摩擦力を発生させる素材から成る部材を有し、前記アームそれぞれの表面には、布団との間に発生する摩擦力を低く抑えられる素材を用いたことを特徴とする布団干し具を提供する。
【発明の効果】
【０００７】  アームに掛けた布団には真下に向かって滑り落ちようとする力が働くが、本発明による布団干し具によれば、アームが傾斜しているため真下に向いていた力の多くはアームに沿った斜め下方向への力へと変化する。すなわちアームとアームの間に布団が滑り落ちようとする力を弱めることが可能となる。【０００８】  そして新たに発生した前記の斜め下方向へ滑り落ちようとする力を、アーム先端に設けた高摩擦部材に布団の一部を掛けることによって抑止することが可能となる。【０００９】  また本発明による布団干し具によれば、摩擦力が高い部分がアーム先端のみであるため、使用者は布団を掛ける際、アームの先端部に掛かる部分のみに注意を払えばよく、アームの他の部分は摩擦係数が低いため布団を掛けた後滑らせて位置を調整することが容易にできる。【００１０】  また、掛けた布団をおろす際も先端部に掛かった部分のみ外せばあとはアームの表面を布団を滑らせながら下すことが可能となる。特に冬布団のような重い布団の場合はアームの傾斜に沿って下に滑らせてある程度ベッド上に布団の重みが移った後で布団をアームから外すようにすればより軽い力で行える。
【実施例】
【００１１】  本実施例による布団干し具は、２本のアーム１それぞれは湾曲した形状とし、その先端には布団との間に優れた摩擦力を生む発泡ゴムから成る高摩擦材２を固着する。そしてこの２本のアームを付け根に向かうに従いお互いの間隔が狭まる角度で寝床の脇に設置する。（図１，２参照）【００１２】  ところで、湾曲した形状のアームの場合、湾曲の頂点７より先の部分すなわち付け根とは反対の方向に延びる部分では、図３に示す矢印Ｓの向きにも布団の重みが作用することになる。よってこの部分の長さをあまり長く取ってしまうと、矢印Ｍの向きに働く力が弱まり、本発明による効果を得るためのバランスが崩れアームとアームの間に布団が落ちやすくなってしまう。このため湾曲するアームの先端の位置の設定には注意が必要である。（図３参照）【００１３】  なお、ここではアームを半径６５０ｍｍの湾曲とし、先端となる位置は垂直方向における頂点７の位置よりプラス２０度（図３に示す角度Ｘ）とした。これは半径６５０ｍｍからできる傾斜具合に対し先ほど述べたバランスが崩れない範囲で、出来る限り布団の掛かる部分の長さを大きく確保できる位置となる。
【図面の簡単な説明】
【００１４】
【図１】  ベッドに設置した本実施例による器具を側面から見た図である。
【図２】  ベッドに設置した本実施例による器具に布団を掛けた状態を真上から見た図である。
【図３】  本実施例による器具のアームとそこに掛けた布団の断面図である。
【符号の説明】
【００１５】  １    片持ちアーム
２    高摩擦材
３    ベッドマットレス
４    ベッドフレーム
５    掛布団
６    片持ちアーム付け根
７    アーム湾曲部頂点
【図１】
2013009933.tif 000003
【図２】
2013009933.tif 000004
【図３】
2013009933.tif 000005
(57)【要約】【課題】  従来の発電機は、コイルの中の鉄心と、磁石を切り離す時に、強大な駆動力が必要であった。本発明は、この欠点をなくすものである。【解決手段】  コイルの中の鉄心は、全て取り除き、その部分に磁石を走行させることで、磁気作用がはたらきコイル内に、電気が発生する。  磁石と吸引する鉄片は皆無である故、このときの動力は、円筒内の磁石の移動のみの動力ですむ。尚、動力はそのままで、円筒状の輪に無数のコイルをセットでき、発電機の増設が安易である。【選択図】図１
2013085431.tif 000002
【特許請求の範囲】
【請求項１】
複数個のコイルの中心に、複数個の磁石を連続通過させて電気を発生させる軽駆動力発電機。
【請求項２】
複数個の正・逆極の磁石を連続通過させて電気を発生させる請求項１に係わる軽駆動力発電機。
【発明の詳細な説明】
【技術分野】
【０００１】  本発明は，軽駆動力で稼働する発電機に関するのである。
【発明の開示】
【発明が解決しようとする課題】
【０００２】  従来の発電機は、鉄芯と磁石を切り離す時に、強力な駆動力が必要であった。【０００３】  発電機を増すには、発電機の基本装置全体を増加させる必要があった。
【課題を解決するための手段】
【０００４】  上記のことを解決するために，本発明は，コイルの鉄芯部分を除去し、この部分に、磁石を通過させることで発電できる、このときの駆動力は、磁石の移動のみの動力ですむ。【０００５】  上記のことを解決するために、本発明は、発電機を増すには、駆動力は、そのまま一定で、コイルの数を増加させることで解決できる。
【発明の効果】
【０００６】  上述したように本発明の発電機は、コイルの中心に円筒状の輪の中を磁石が移動するものであり、発電機を増やすには、円筒状の輪にコイルのみの増加で発電機を増加できる、軽駆動力と簡易増設の発電機を提供できる。
【図面の簡単な説明】
【０００７】
【図１】  本発明の平面図
【図２】  正面図
【図３】  円筒管一部拡大断面図
【発明を実施するための形態】
【０００８】  以下、本発明の実施の形態を図１から図３に基ずいて説明する。
図においては、１は電気が発生するコイルで、２はコイルの中心を走る磁石、３は磁石が流動する円筒管、４は円筒管内の磁石を流動させるロ−ラ−、５はロ−ラ−を駆動するモ−タ−、６は磁石移動の抵抗を減らす車輪。
【符号の説明】
【０００９】１  コイル
２  磁石
３  円筒管
４  ロ−ラ−
５  モ−タ−
６  車輪
【図１】
2013085431.tif 000003
【図２】
2013085431.tif 000004
【図３】
2013085431.tif 000005
(57)【要約】【課題】永久磁石とコイルをもちいた発電機において、永久磁石の数の倍の数のコイルを用いた発電機の提供を課題とする。【解決手段】  図１の概念図に示したごとく、永久磁石とコイルを配置した発電機においては永久磁石の単極をコイルに作用させ誘導電流をとりだしているが、本発電機のコイル配置においては永久磁石の両極にコイルを配置し、誘導電流を出力とし取り出している。【選択図】図１
2013085430.tif 000002
【特許請求の範囲】
【請求項１】
永久磁石とコイルを用いた発電機において、永久磁石の数の倍の数のコイルを配置した永久磁石とコイルを用いた発電機。
【請求項２】
請求項１の発電機において、永久磁石を電磁誘導コイルに置き換えた、電磁誘導コイルの倍のコイルを配置した発電機。
【発明の詳細な説明】
【技術分野】
【０００１】  本発明は、主として永久磁石とコイルをもちいた発電機において、永久磁石の数の倍の数のコイルを用いた発電機に関する。
【背景技術】
【０００２】  永久磁石とコイルを用いた発電機は、永久磁石の数とコイルの数は同数を基本とし、コイル近傍を通過する永久磁石によりコイルに発生する誘導電流を発電機出力として取り出している。
【発明の概要】
【発明が解決しようとする課題】
【０００３】  永久磁石とコイルを用いた発電機では永久磁石の数とコイルの数は同数を基本としているが、本発明では永久磁石とコイルの配置を改善し、永久磁石の倍のコイルを配置し、各コイルに発生した誘導電流を発電機出力とする。【０００４】  永久磁石の数の倍のコイルを配置することで、各コイルより誘導電流を取り出す事ができるので、同じ数の永久磁石を用いた発電機より多くの出力を得る事ができる。
【課題を解決するための手段】
【０００５】  永久磁石の数の倍のコイルを配置する手段の一例を永久磁石発電機の概念図とし図１に示す。【０００６】  永久磁石には磁石の特性としてＮ極とＳ極があり、基本的な永久磁石発電機では磁石の極はコイルに対して同じ向きに配置されるので、同じ方向に巻かれたコイルには同じ極性の誘導電流が発生し、永久磁石の単極（Ｎ極またはＳ極）を作用させ誘導電流を得ている。【０００７】  永久磁石の両極（Ｎ極またはＳ極）を有効に作用させ誘導電流を得る方式として、永久磁石の両極にコイルを配置し、誘導電流を得る配置の概念図を図１に示した。
【発明の効果】
【０００８】  概念図１に示す配置では、永久磁石１０、永久磁石１１の極（Ｎ極、Ｓ極）は同じ方向に巻かれたコイル１ａ、コイル２ａに対して同じ極になる様配置されている。【０００９】  永久磁石取り付け金具が回転しコイルに誘導電流を発生させるとコイル１ａ，コイル１ｂ、コイル２ａ，コイル２ｂに誘導電流が発生し、１個の永久磁石１０を用いて２個のコイル（コイル１ａ，コイル１ｂ）出力をえた。
【図面の簡単な説明】
【００１０】
【図１】永久磁石発電機のコイルの配置の概念図
【産業上の利用可能性】
【００１１】  レアメタルを永久磁石材料とした永久磁石発電機は発電効率はよいが、コストに難点があるが、１個の永久磁石でコイル２個より出力が取り出せるのでコストパフォーマンスが良くなる。
【符号の説明】
【００１２】１００    永久磁石発電機の概念図
１        永久磁石取り付け金具
１ａ      コイル１ａ
１ｂ      コイル１ｂ
２ａ      コイル２ａ
２ｂ      コイル２ｂ
１０      永久磁石１
１１      永久磁石２
【図１】
2013085430.tif 000003
(57)【要約】      （修正有）【課題】繰返し使用することが可能で、自然の石を使用しない水切り遊び用の人造石を提供する。【解決手段】材料として塩化ビニール等プラスチックで作製し、水をよごさずに何回でも同じ水切り遊び用の人造石を使って楽しめるよう、内部を空洞とし、投げた後水面に浮くように重さを調節する。屋外だけでなく、室内で、例えばプール等を利用して遊ぶ場合を想定し、判別するために水切り遊び用の人造石の表面に好みの色・模様を付加する。【選択図】図１
2013085946.tif 000002
【特許請求の範囲】
【請求項１】
塩化ビニール等プラスチックで作製した水切り遊び用人造石屋外だけでなくプール等室内で遊ぶ為、危険がなく、水に浮くように工夫して、回収して何度でも使用出来る、判別しやすいように、表面に色、柄をつけた事を特徴とする水切り遊び用人造石。
【発明の詳細な説明】
【技術分野】
【０００１】この発明は水切り遊び用の石に関するものである。
【従来の技術及び問題点】
【０００２】（１）自然石は海岸の埋立て、河川の堤防のかさ上げ、防波堤等による自然の渚の消滅により水切り自然石のある所も非常に少なくなった。形の良い物比重の良い物、大きさの手頃な物を見つけるのが、困難になってきた。
（２）陶器や素焼の人工石は投げた後、踏むと割れて危険であり割れた残骸は無くならないので長い間厄介物になる。
（３）出願番号特願２０１１−１９８８４６に提案した人造石は海岸や河川を想定したものですが、室内で例えばプール等を利用して遊ぶ場合を想定した場合水をよごす欠点があったし、１度きりで無くなるという欠点があった。
【発明が解決しようとする課題】
【０００３】  この発明の課題は、前記の問題点を解消した水切り遊び用人造石を提供することにある。
【課題を解決するための手段】
【０００４】  前記の課題を解決するために、この発明は次の手段を採用する。塩化ビニール等プラスチックで作製し・水切り遊びをして投げた後、水面に浮いているように重さを調節して、回収しやすいように工夫した。同じ人造石を何度でも使えるので上手になるように練習するとか、皆で競争するのに便利である。判別するために好みの色・柄をつけて楽しみます。
（１）自然石より入手が容易である。（２）陶器や素焼の人工石は投げた後踏んで割れたり何かの障撃で小さく欠けても海水浴等水遊びの際、割れたりした小さな破片でけがをするおそれがある。
（３）出願番号特願２０１１−１９８８４６で提案した粘土で作製した焼かない人造石は室内のプール等では水をよごすので使用出来ない。今回は屋外でも室内用としても何度でも楽しめるプラスチック製の人造石を提案した。
【発明を実施するための形態】
【０００５】  塩化ビニールの水道管内径５．５ｃｍ、厚さ４ｍｍを高さ１ｍに切断し、そのパイプの切断した片方に直径６ｃｍ・厚さ４ｍｍの円盤をボンド等ではりつけた後、同じ直径６ｃｍ・厚さ４ｍｍの円盤を重しとして入れ、もう一方の切断面に直径６ｃｍ・厚さ４ｍｍの円盤をボンド等ではりつけて仕上げます、重りは各個体によってびみようにちがうが約深さの１／３が浮くのが１番望ましく塩化ビニールの板１ｍｍ又は２ｍｍ又は３ｍｍを底部にはりつけて調節する。判別するために表面に上下なく好みの色・柄をつけて楽しみます。他の大きさ及び他の材質・他の形等を採用する事を妨げない。
【作用及び効果】
【０００６】  本発明の水切り遊び用人造石は円盤にしているので投げた時の回転や惰性を持続させ、水の抵抗を少なくする。水に浮くように工夫しているので回収しやすく、又色・柄をつけているので判別しやすく何回も楽しめて、経済的である。投げる時は親指と人さし指でにぎり、水面に対して２０度〜２５度の角度で投げるのが理想である。
【図面の簡単な説明】
【図１】  この発明の斜視図である
【図２】  この発明の正面図である
【図３】  この発明の真上からの図である
【図４】  この発明の断面図である
【図１】
2013085946.tif 000003
【図２】
2013085946.tif 000004
【図３】
2013085946.tif 000005
【図４】
2013085946.tif 000006